(57)【特許請求の範囲】
【請求項１】
固定局と移動局とが衛星通信回線を介してスプレッドスペクトラム通信方式を使用して通信するようにした移動体衛星通信システムであって、
前記固定局は、
使用回線数と固定局及び移動局の各送信電力との対応関係を予め設定したテーブルと、
移動局からの回線設定要求に応答して、前記テーブルを参照して使用回線数に応じた送信電力を求めて、固定局の各送信電力を設定すると共に、回線設定済み移動局及び回線設定要求の移動局に対して各移動局の送信電力を通知する制御手段とを含むことを特徴とする移動体衛星通信システム。
【請求項２】
前記テーブルの送信電力値は、使用回線数分のＣＤＭＡ干渉値を回線設計のパラメータとして予め算出された値であることを特徴とする請求項１記載の移動体衛星通信システム。
【請求項３】
前記固定局と前記移動局にそれぞれ設けられ、前記回線設定要求および前記移動局に対する各送信電力の通知をなす回線制御用変復調器を、更に含むこを特徴とする請求項１または２記載の移動体衛星通信システム。
【請求項４】
固定局と移動局とが衛星通信回線を介してスプレッドスペクトラム通信方式を使用して通信するようにした移動体衛星通信システムにおける回線割当制御方法であって、
前記固定局において、
使用回線数と固定局及び移動局の各送信電力との対応関係を予め設定したテーブルを準備しておき、
移動局からの回線設定要求に応答して、前記テーブルを参照して使用回線数に応じた送信電力を求めるステップと、
前記固定局の送信電力を設定するステップと、
回線設定済み移動局及び回線設定要求の移動局に対して各移動局の送信電力を通知するステップとを含むことを特徴とする回線割当制御方法。
【請求項５】
前記テーブルの送信電力値は、回線設定数分のＣＤＭＡ干渉値を回線設計のパラメータとして予め算出された値であることを特徴とする請求項４記載の回線割当制御方法。
【請求項６】
前記回線設定要求および前記移動局に対する各送信電力の通知は、前記固定局および前記移動局にそれぞれ設けられている回線制御用変復調器を使用して行うようにしたことを特徴とする請求項４または５記載の回線割当制御方法。
【発明の詳細な説明】
【０００１】
【発明の属する技術分野】
本発明は移動体通信システム及びその回線割当制御方法に関し、特に固定局と移動局とが衛星通信回線を介してスプレッドスペクトラム（ＳＳ）通信方式を使用して通信するようにした移動体衛星通信システムおよびその回線割当制御方法に関するものである。
【０００２】
【従来の技術】
ＳＳ通信方式を用いたスターネットワーク構成の移動体衛星通信方式において、地球局のＳＳ通信用変復調器の送信電力レベルは、システム側から要求されるビット誤り率を保証するために算出された回線設計に基づいて設定されるようになっている。
【０００３】
そして、ＳＳ通信方式においては、ＣＤＭＡ（Ｃｏｄｅ  ｄｉｖｉｓｉｏｎ  Ｍｕｌｔｉｐｌｅ  Ａｃｃｅｓｓ  ）方式による多重アクセス方式が採用されており、他局からのＣＤＭＡ干渉による劣化量を見込んで、送信電力レベルの設定をする必要がある。この劣化量は、最大使用可能回線数が設定されたときのＣＤＭＡ干渉劣化量を補償する送信電力レベルとなるように規定されている。従って、移動局は、衛星回線使用時には、実際に最大使用可能回線数よりも少ない回線数が設定されている状態においても、この送信電力値を使用している。
【０００４】
【発明が解決しようとする課題】
上述した従来技術における問題点は、衛星回線の回線設計のなかで、最大通信回線数使用時における総合Ｃ／Ｎｏ（搬送波電力対雑音電力密度比）値が、各通信回線用変復調器が所要のビットエラー率を保証するための所要Ｃ／Ｎｏ値を満たすように、固定局及び移動局の送信電力値を規定しており、固定局及び移動局の送信電力はこの規定値を使用するようになっている。
【０００５】
従って、常に最大通信回線数でのＣＤＭＡ干渉Ｃ／Ｎｏの劣化量が見込まれた送信電力で送信していることになるために、移動局の送信時に最大通信回線数より少ない通信回線数が使用されている場合には、使用回線数を対象としたＣＤＭＡ干渉によるＣ／Ｎｏ劣化量分以上を補償した送信電力で送信することになり、特に空中線利得が少ない移動局においては、無線機の送信飽和能力による同時送信回線数に制限が生じ易くなり、同時使用回線数が少なくなるという欠点がある。
【０００６】
本発明の目的は、移動局の衛星回線使用時の送信電力を衛星回線割当て時における実際の使用回線数のＣＤＭＡ干渉による劣化量を見込んだ送信電力に設定することによって、移動局の送信電力の低出力化を実現することが可能な移動体通信システム及びその回線割当制御方法を提供することである。
【０００７】
【課題を解決するための手段】
本発明によれば、固定局と移動局とが衛星通信回線を介してスプレッドスペクトラム通信方式を使用して通信するようにした移動体衛星通信システムであって、前記固定局は、使用回線数と固定局及び移動局の各送信電力との対応関係を予め設定したテーブルと、移動局からの回線設定要求に応答して、前記テーブルを参照して使用回線数に応じた送信電力を求めて、固定局の各送信電力を設定すると共に、回線設定済み移動局及び回線設定要求の移動局に対して各移動局の送信電力を通知する制御手段とを含むことを特徴とする移動体衛星通信システムが得られる。
【０００８】
また、本発明によれば、固定局と移動局とが衛星通信回線を介してスプレッドスペクトラム通信方式を使用して通信するようにした移動体衛星通信システムにおける回線割当制御方法であって、前記固定局において、使用回線数と固定局及び移動局の各送信電力との対応関係を予め設定したテーブルを準備しておき、移動局からの回線設定要求に応答して、前記テーブルを参照して使用回線数に応じた送信電力を求めるステップと、前記固定局の送信電力を設定するステップと、回線設定済み移動局及び回線設定要求の移動局に対して各移動局の送信電力を通知するステップとを含むことを特徴とする回線割当制御方法が得られる。
【０００９】
本発明の作用を述べる。固定局において、回線設定数分のＣＤＭＡ干渉値を回線設計のパラメータとして予め算出された固定局及び移動局の送信電力値を、使用回線数対応に予め格納したテーブルを準備しておき、移動局からの回線設定要求に応答して、このテーブルを参照して、使用回線数に対応した固定局と移動局の各送信電力値を求め、これ等送信電力値に従って固定局と移動局との回線割当制御を行うようにしている。
【００１０】
これにより、移動局の送信電力を、最大通信回線分のＣＤＭＡ干渉値を見込んだ送信電力ではなく、実際の使用回線数でのＣＤＭＡ干渉値での所要送信電力で通信することが可能となるのである。
【００１１】
【発明の実施の形態】
以下に図面を参照しつつ本発明の実施例につき説明する。図１は本発明の実施例のシステム構成を示すブロック図である。図１を参照すると、複数の移動局１，２（図では、簡単化のために２つの移動局のみを示すものとする）と固定局３とが、通信衛星４を介してＳＳ通信方式による通信を行う例が示されている。尚、各移動局１，２には図示せぬ端末が設定されており、これ等端末が移動局１，２や通信衛星４を介して固定局３と接続されるものであり、固定局１は交換局として機能するものである。
【００１２】
各移動局は同一構成であるので、移動局１についてのみ説明する。移動局１は空中線１１１と、無線機１１２と、送信レベル切換器１１３と、通信回線用変復調器１１４と、回線制御用変復調器１１５と、回線制御部（子局）１１６とを有して構成されている。
【００１３】
通信回線用変復調器１１４は上述した端末と固定局３との間のＳＳ通信回線用の変復調器であり、送信レベル切換器１１３はＳＳ通信用回線の移動局１からの送信電力値を切換えるものである。回線制御用変復調器１１５はＳＳ通信回線の設定制御をなすための回線制御用の変復調器である。回線制御部１１６は送信レベル切換器１１３や通信回線用変復調器１１４を制御する機能を有している。
【００１４】
固定局３は空中線１０１と、無線機１０２と、送信レベル切換器１０３ａ，１０３ｂ，１０３ｃ，・・・  と、通信回線用変復調器１０４ａ，１０４ｂ，１０４ｃ，・・・  と、回線制御変復調器１０５と、回線制御部（親局）１０５とを有して構成されている。
【００１５】
通信回線用変復調器１０４ａ，１０４ｂ，１０４ｃ，・・・  は移動局の最大数に等しい数だけ設けられており、各移動局とのＳＳ通信回線用の変復調器である。送信レベル切換器１０３ａ，１０３ｂ，１０３ｃ，・・・  はこれ等通信回線用変復調器に対応して設けられており、対応通信回線用変復調器の出力レベル、すなわち送信電力値の切換えをなすものである。回線制御用変復調器１０５はＳＳ通信回線の設定制御をなすための回線制御用の変復調器である。
【００１６】
回線制御部１０６は送信レベル切換器や通信回線用変復調を制御する機能を有している他に、送信電力値テーブル１０７を含んでいる、この送信電力値テーブル１０７は、図２にその内容の概略を示す如く、使用回線数とそれに対応した固定局の送信電力及び移動局の送信電力の各値を、予め算出して格納したテーブルである。更に述べると、実際に使用される通信回線数分のＣＤＭＡ干渉値を回線設計のパラメータとして予め算出された送信レベル値（固定局と移動局双方の送信電力値）が、使用回線数に対応して格納されている。
【００１７】
以下に本発明の実施例の動作について説明する。
【００１８】
上述したように、一般的には、衛星回線での回線設計の各パラメータは、最大通信回線数使用時における総合Ｃ／Ｎｏ値が、各通信回線用変復調器が所要のビットエラー率を保証するための所要Ｃ／Ｎｏ値を満たすように、固定局及び移動局の送信電力値を規定している。この回線設計のパラメータの１つであるＣＤＭＡ干渉値も、最大通信回線数での干渉値がパラメータとして使用されており、実際には、最大通信回線数を使用していない時にも、固定局と移動局は最大通信回線数でのＣＤＭＡ干渉を想定した送信電力にて送信することになり、移動局は常に実際の所要送信電力より高い送信レベルで送信することになって、無線機の送信電力飽和による同時送信回線数が少なくなる。
【００１９】
本発明では、固定局の回線制御部１０６は固定局３と移動局間の衛星回線割当状況を把握できることから、実際に使用されている通信回線数分のＣＤＭＡ干渉値を回線設計のパラメータとして算出した送信電力値を、テーブル１０７として予め準備しておくのである。このテーブル１０７では、送信電力値は使用された通信回線数が多くなると、ＣＤＭＡ干渉値が大きくなり送信電力値が高くなるように設定されている。
【００２０】
いま、移動局１の端末が固定局３と通信するとき、回線制御部１１６は、端末からの発呼要求を受けて、回線制御用変復調器１１５及び１０５を通じて回線制御部１０６に対し発呼要求を出し、移動局１が固定局３との通信回線を設定するよう依頼する。回線制御部１０６は、その時点での各移動局との間の衛星回線割当状況を把握しているので、固定局３と移動局１のみの衛星回線の割当時（使用回線数が１の時）には、予めテーブル１０７に記憶してある、衛星回線パラメータのＣＤＭＡ干渉値を移動局１局として算出された固定局３及び移動局１の送信電力値を、テーブルから求める。
【００２１】
回線制御部１０６は、固定局に対しては通信回線用変復調器１０４ａへのＳＳコードを割当てると同時に、送信レベル切換器１０３ａに対してテーブルから求めた固定局の送信電力値を設定する。また、移動局１に対しては、固定局３の回線制御用変復調器１０５及び移動局１の回線制御用変復調器１１５を使用して、回線制御部１１６に、通信回線用変復調器１１４へのＳＳコードを割当てると同時に、送信レベル切換器１１３に対してテーブル１０７から求めた移動局１の送信電力値を設定し、固定局３と移動局１との間の衛星通信回線を確保する。この時、移動局１は、ＣＤＭＡ干渉値を最大通信回線数分見込んだ送信電力値より低い送信電力にて通信が可能となる。
【００２２】
移動局１と固定局とが通信回線を設定している状態において、更に移動局２の端末が固定局と通信するとき、移動局２の回線制御部１２６は、端末からの発呼要求を受けて回線制御用変復調器１２５及び１０５を通じて回線制御部１０６に対し発呼要求を出し、移動局２が固定局との通信回線を設定するよう依頼する。回線制御部１０６は、既に移動局１との間の衛星回線割当を実施しているので、固定局と移動局２の衛星回線の割当時には、ＣＤＭＡ干渉値を移動局２局（使用回線数を２）として、固定局３及び移動局２の送信電力値をテーブル１０７から求める。
【００２３】
回線制御部１０６は、固定局３に対しては通信回線用変復調器１０４ａ，ｂへのＳＳコードを割当てると同時に、送信レベル切換器１０３ａ，ｂに対してテーブル１０７から求めた固定局の送信電力値を設定する。また、移動局２に対しては、固定局３の回線制御用変復調器１０５及び移動局２の回線制御用変復調器１２５を使用して、回線制御部１２６に、通信回線用変復調器１２４へのＳＳコードを割当てると同時に、送信レベル切換器１２３に対してテーブル１０７から求めた移動局２の送信電力値を設定し、固定局と移動局２との間の衛星通信回線を確保する。
【００２４】
この時、また移動局１に対しても、固定局３の回線制御用変復調器１０５及び移動局１の回線制御用変復調器１１５を使用して回線制御部１１６に、送信レベル切換器１１３に対してテーブル１０７から求めた移動局１の送信電力値を設定し直すのである。移動局１の回線制御部１１６に対しては、先に設定された送信電力値よりも、ＣＤＭＡ干渉値を更に１波分見込んだ送信電力値として通信が可能となる。
【００２５】
以上のことから、図３に示す動作フローが得られる。すなわち、端末からの発呼要求に応答して（ステップＳ１）、移動局の回線制御部は自局の回線制御用変復調器及び固定局の回線制御用変復調器１０５を通じて回線制御部１０６へ発呼要求を送出して（ステップＳ２）、固定局３との通信回線を設定するよう依頼する。回線制御部１０６はその時点での各移動局との間の衛星回線割当状況、すなわち使用回線数を基に、テーブル１０７を参照し（ステップＳ３）そのときの固定局と移動局との各送信電力を求める（ステップＳ４）。
【００２６】
そして、固定局内の通信回線用変復調器（新たに、回線設定要求のあった移動局に対応するもの）に対してＳＳコードを割当て、また使用回線に対応する各送信レベル切換器に対してテーブルから求めた送信電力値を夫々設定する（ステップＳ５）。
【００２７】
次に、新たに回線設定要求のあった移動局の通信回線用変復調器に対してＳＳコードを割当てると共に、使用回線に対応する各送信レベル切換器に対してテーブルから求めた送信電力値を設定する（ステップＳ６）。
【００２８】
【発明の効果】
以上述べた様に、本発明によれば、実際に使用している回線数に応じたＣＤＭＡ干渉値を回線設計のパラメータとして予め算出した送信電力値を、テーブルとして準備しておき、回線使用要求に応答してそのときの使用回線数に基づいたテーブルを参照し、送信電力を決定しているので、最大使用回線数以内の状況下において、移動局側の送信電力低減を図ることができ、無線機の飽和により制限を受ける衛星通信回線の同時使用回線数を、増加することができるという効果がある。
【図面の簡単な説明】
【図１】本発明の実施例のシステムブロック図である。
【図２】送信電力値テーブルの例を示す図である。
【図３】本発明の実施例の動作を示すフローチャートである。
【符号の説明】
１，２                  移動局
３                      固定局
４                      通信衛星
１０１，１１１，１２１  空中線
１０２，１１２，１２２  無線機
１０３，１１３，１２３  送信レベル切換器
１０４，１１４，１２４  通信回線用変復調器
１０５，１１５，１２５  回線制御用復調器
１０６，１１６，１２６  回線制御部
１０７                  送信電力値テーブル
【図１】
0003567909.tif 000002
【図２】
0003567909.tif 000003
【図３】
0003567909.tif 000004